(57)【要約】      （修正有）【課題】締め付けネジを不正に変更することを困難にする。【解決手段】ホースクランプとホースクランプ１を作るための方法。ホースクランプは、締め付けバンド２と、ネジ頭５とネジ胴部６を有する締め付けネジ４と、ネジ頭５とネジ胴部６を有する締め付けネジ４がその中に配置された筐体とを備える。前記ネジ胴部６から離れて面する前記ネジ頭５の表面８は、凸型にアーチ状で、少なくとも３つの刻み目９を備える。【選択図】図１
2012052660.tif 000002
【特許請求の範囲】
【請求項１】
締め付けバンド２と、
ネジ頭５とネジ胴部６を有する締め付けネジ４と、
ネジ頭５とネジ胴部６を有する締め付けネジ４がその中に配置された筐体と、
凸型にアーチ状で、前記ネジ胴部６から離れて面し、少なくとも３つの刻み目９を備える前記ネジ頭５の表面８と、
を備えるホースクランプ１。
【請求項２】
前記表面８の中心は、滑らかの表面である請求項１に記載のホースクランプ１。
【請求項３】
前記刻み目９は、半径方向に向かって走る請求項１に記載のホースクランプ１。
【請求項４】
前記刻み目９は、星形の手法で配置される請求項１に記載のホースクランプ１。
【請求項５】
前記刻み目９は、お互いに同じ距離を有する請求項１に記載のホースクランプ１。
【請求項６】
前記刻み目９は、円錐型に外側に広がって構成される請求項１に記載のホースクランプ１。
【請求項７】
ネジ頭５と、
ネジ胴部６と、
凸型にアーチ状で、前記ネジ胴部６から離れて面し、少なくとも３つの刻み目９を備える前記ネジ頭５の表面８と、
を備えるホースクランプ１のための締め付けネジ４。
【請求項８】
前記表面８の中心は滑らかな表面として形成される請求項７に記載の締め付けネジ４。
【請求項９】
前記刻み目９は、星形の手法で配置される請求項７に記載の締め付けネジ４。
【請求項１０】
前記刻み目９は、円錐型に外側に広がって構成される請求項７に記載の締め付けネジ４。
【請求項１１】
正面に内部開口を有する台座１３と、
半径方向内側向かって延びる、前記台座上に配置された少なくとの３つの突起と、
を備える、請求項１に記載のホースクランプ１を締め付けるための工具１１。
【請求項１２】
前記内部の内直径は前記ネジ頭５の外直径に適合して構成され、および前記突起の数と形が前記５ネジ頭の前記刻み目９の数と形に対応して構成され、配置される請求項１１に記載の工具１１。
【請求項１３】
前記台座半径方向内部に横たわる前記突起の外部へりは、お互いに平行に走る請求項１１に記載の工具１１。
【請求項１４】
前記台座半径方向内部に横たわる前記突起の外部へりは、凸状に曲がる請求項１１に記載の工具１１。
【請求項１５】
締め付けネジ４の曲線的な頭上に工具１１を置くことと、該締め付けネジ４は滑らかな中心表面８を備え、
ホースクランプ１を締めるまたは緩める効果のため、前記工具１１を回すことと、
を含む筐体と締め付けネジ４を有するホースクランプ１を調整するための方法。
【請求項１６】
前記ネジ頭５は、少なくとも１つの刻み目９を含み、前記工具１１は少なくとも１つの突起を含み、前記少なくとも１つの突起は、前記少なくとも１つの刻み目の中に適合する請求項１５に記載の方法。
【請求項１７】
前記少なくとも１つの刻み目９は、少なくとも３つの刻み目９を含み、前記少なくとも１つの突起は、少なくとも３つの刻み目９に対応する数の突起を含む請求項１６に記載の方法。
【請求項１８】
前記突起の数はお互い平行に配置される請求項１７に記載の方法。
【請求項１９】
前記工具１１の回転軸１２が、前記締め付けネジ４の回転軸１０にななめに向くとき、前記工具１１の回転は、締めるまたは緩める効果のため十分なトルクを提供する請求項１５に記載の方法。
【発明の詳細な説明】
【技術分野】
【０００１】
本発明の実施形態は、締め付けバンドを有するホースクランプと、ネジ頭とネジ胴部（shank）を有する締め付けネジがその中に配置された筐体に関する。さらに、本発明の実施形態は、特にこの型のホースクランプのための、ネジ頭とネジ胴部を有する締め付けネジに関する。本発明は、またこの型のホースクランプを締め付けるため、および締め付けネジを駆動するための工具に関する。
【背景技術】
【０００２】
ホースクランプは、多くの技術的分野で使用され、例えば、パイプ接続上にホースを固定するために役立つ。ホースクランプの締め付けは、締め付けバンドの１つ端に取り付けられた筐体の中に配置された締め付けネジが、少なくとも他の端の領域で締め付けバンドの外側で、締め付けバンドの中に実装または形成されたネジ山と相互に作用することで、行われる。締め付けネジの締め付けによって、締め付けバンドの自由端は筐体に中に引かれ、これによりホースクランプの直径が減少する。この型のホースクランプは一般によく知られる。
【発明の概要】
【発明が解決しようとする課題】
【０００３】
応用の様々な分野、例えば自動車製造または公共建築で、ホースクランプが不正に変更されること、特に緩められることを防ぐことが望まれている。この目的のため、知られた解決策が提供され、ホースクランプのネジ頭が従来のネジで実装または形成されない、つまり、スロットまたはクロス凹部ではなく、六角形ソケットまたは多点のソケットであり、もし必要なら追加のピンが多点のソケットの中心に提供される。したがって、必要な特別に調整された工具無しでホースクランプを緩めることは非常に困難である。しかしながら、ネジ回しまたはプライヤーで締め付けネジを回すこと、ホースクランプを不正に変更することは可能である。
【０００４】
他の解決策が、締め付けネジのため切り取り頭を提供する。これは、所定のトルクがホースクランプの締め付けの間に到達したとき切り取られる。したがって、もはや締め付けネジを抜くこと、およびホースクランプを解放することは不可能である。この解決策は不正に変更することに対して堅牢であるが、取り外されたネジ頭が制御させずに落ちるといる短所を有する。これは周辺の要素の機能の妨害または少なくとも損傷を導く。
【０００５】
本発明の実施形態は、締め付けネジを不正に変更することをより困難にする締め付けネジに向いている。
【課題を解決するための手段】
【０００６】
本発明の実施形態は、ネジ頭がネジ胴部から離れて面し、凸型にアーチ状の表面を有する冒頭に言及されたこの型のホースクランプに向いている。表面は少なくとも３つの刻み目９が提供される。
【０００７】
ネジ頭のこの型の実施形態によれば、特殊な工具でのみ締め付けネジを駆動することが可能である。レンズ状の手法で実装または形成され、したがって円形のベース領域を有する凸型にアーチ状のネジ頭の表面によれば、ペンチでネジ頭を捕まえることは非常に困難になる。刻み目９は、外側に実装または形成され、つまりネジ頭の周囲に沿って配置され、締め付けネジの回転軸の半径方向外側に全てが位置される。したがって、締め付けネジをあけるため、市販化されているねじ回しを使用することは不可能である。ホースクランプは、不正に変更されることに対する堅牢を提供する。同時に、凸型にアーチ状のネジ頭の表面は、ネジ頭をおく間、工具を中心におくために利用することができ、ホースクランプの取り扱いが簡単化される。
【０００８】
好ましくは、表面の中心は、滑らかな手法で実装または形成される。これにより、この中心は締め付けネジの回転軸上に位置される。もし、この中心が滑らかな手法で実装または形成される場合、ねじ回しまたは同様な工具でここに取り付けることは不可能である。同時に、全ての刻み目９は回転軸の半径方向外側に配置されることが確実にされる。
【０００９】
好ましくは、刻み目９は、半径方向に走る。刻み目９は、ネジ頭の周囲に一様にまたは非一様に分布され、配置され、半径方向に走り、例示の方法によって、半径方向外側に開く。刻み目９は、光線のように半径方向外側に走る。
【００１０】
好ましくは、刻み目９は、星形の手法で配置され、特に、これらはお互いに等しい距離を有する。ネジ頭は、したがって回転対称な手法で実装または形成される。工具は締め付けネジに関して、回転の特別な角度を有する必要がないため、これは工具をおくこと、およびホースクランプの取り扱いを簡単化する。
【００１１】
効果的な実施形態の中で、刻み目９は円錐型に外側に広がる。刻み目９は比較的狭いベースを有し、比較的大きい開口幅を有する。これにより、ベースは、２つの点、すなわち、刻み目の半径方向端でネジ頭の表面を切ることで六角形として実装または形成されることもできる。刻み目９は端で比較的鋭く先細りであることもできる。刻み目９のこの円錐形の実施形態により、締め付けネジに関する工具の位置合わせ、つまり、工具の回転軸と締め付けネジの回転軸間の角度の逸脱が可能になる。これは、特に狭い設置空間でのホースクランプの取り扱いを容易にする。
【００１２】
本発明の実施形態は、ネジ頭がネジ胴部から離れて面し、凸型にアーチ状である表面を有する冒頭に言及されたこの型のホースクランプに向いている。表面は少なくとも３つの刻み目９が提供される。
【００１３】
ネジ頭の表面の凸型にアーチ、つまり、レンズ状の実施形態により、ペンチでネジ頭を掴むことおよび回すことは、実質的に不可能になる。回転軸の半径方向外側に横たわる少なくとも３つの刻み目９の提供により、正のかみ合いが、対応する手法で実装または形成された工具で生成され、その結果締め付けネジの駆動は簡単に可能になる。しかしながら、ペンチまたはねじ回しのような一般的な工具でネジ頭を駆動することは、非常に困難で、不可能になる。実質的に締め付けネジを不正に変更することは妨げられる。
【００１４】
表面の中心は、滑らかな手法で実装または形成されることが好ましい。表面の中心は、締め付けネジの回転軸上に位置する。したがって、刻み目９は、全て回転軸から半径方向に離れて置かれる。刻み目９の１つの中のかみ合いがねじ回しで行われたときでさえ、締め付けネジの動きはほとんど不可能になる。ネジによる通常の回転軸上の攻撃は、ネジ頭の中心の滑らかな表面によって妨げられる。
【００１５】
好ましくは、刻み目９は、星形の手法で配置され、特に、これらはお互いに等しい距離を有している。刻み目９は、ネジ頭の周囲に沿って分布され配置される。さらに、刻み目９は、半径方向外側に走り、外側に開くように配置される。もし、刻み目９の間の距離が等しくない場合、異なった締め付けネジまたはネジ頭の可能な多重度は増加される。しかしながら、刻み目９の一様な配置、つまり近接する刻み目９間の距離がいつも等しいことは、ネジ頭上での配置の間工具の角度配置が重要でなくなるという効果を有する。これにより、締め付けネジの取り扱いが簡単化される。
【００１６】
好ましくは、刻み目９は、円錐型に外側に広がる。刻み目９の底またはベースは開口幅より狭くなるように実装または形成される。刻み目の半径方向端は先細りである。この実施形態によれば、工具の回転軸が締め付けネジの回転軸とある角度で走るときでさえ、締め付けネジの駆動が可能になる。これにより、締め付けネジの取り扱いは簡単化される。
【００１７】
本発明の実施形態は、正面に内部開口を有する台座を備える冒頭に言及されたこの型の工具に向いている。台座は半径方向外側に向いた少なくとの３つの突起が配置される。
【００１８】
内部は、円形のベース領域を有する空洞の円筒として、実装または形成される。この正面の内部開口は、締め付けネジのネジ頭の凸型にアーチ状の表面上に設置の間、独立に中心化される。内部に向いた突起の数は刻み目９の数に対応すべきであり、対応する点に配置され、突起と刻み目９間に正の接続が作られる。
【００１９】
内部の内直径がネジ頭の外直径と適応すること、および突起の数と形がネジ頭の刻み目９の数と形に適応することは特に好ましい。締め付けネジ上の工具の比較的良い中心化は内部の内直径のネジ頭の外直径に対する適用により発生する。突起の数と形の刻み目９の数と形に対する適用により、比較的大きな接触表面が、工具と締め付けネジの間に発生する。その結果、比較的高い力が伝送される。工具によるネジ頭の損傷は、高いトルクでさえ、かなりまれになる。
【００２０】
好ましい実施形態の中で、半径方向内部に横たわる突起の外部へりは、お互いに平行に走る。このため、突起の外部へりは、台座の外部とも平行に走ることができる。台座および／または工具の比較的簡単な製造がこれにより可能である。刻み目９の円錐状の実施形態で、締め付けネジの駆動は、これにより工具の回転軸が締め付けネジの回転軸と、ある角度でずれる場合でさえも、可能になる。
【００２１】
他の好ましい実施形態の中で、半径方向内部に横たわる突起の外部へりは、凸状に曲がる。この実施形態はレンズ状のネジ頭上への工具の自己中心化を簡単にし、工具と締め付けネジ間のより大きい位置合わせ、つまり、工具の回転軸と締め付けネジの回転軸間のより大きい角度偏差を可能とする。特に狭い状況での工具の取り扱いは、簡単化される。
【００２２】
本発明の実施形態は、締め付けバンド、ネジ頭とネジ胴部を有する締め付けネジ、および締め付けネジがその中に配置された筐体を備えるホースクランプに向いている。締め付けネジは、ネジ頭とネジ胴部を有し、凸型にアーチ状で、ネジ胴部から離れて面し、少なくとも３つの刻み目９を備えるネジ頭の表面を備える。
【００２３】
実施形態によれば、表面の中心は、滑らかの表面であることができる。
【００２４】
他の実施形態によれば、刻み目９は半径方向に向かって走る。
【００２５】
実施形態の側面によれば、刻み目９は、星形の手法で配置される。刻み目９は、お互いに同じ距離を有する。
【００２６】
さらに、刻み目９は、円錐型に外側に広がって構成される。
【００２７】
本発明の実施形態は、ホースクランプのための締め付けネジに向いている。締め付けネジは、ネジ頭、ネジ胴部、および凸型にアーチ状で、ネジ胴部から離れて面し、少なくとも３つの刻み目９を備えるネジ頭の表面を備える。
【００２８】
ここの発明の実施形態によれば、表面の中心は滑らかな表面として形成される。
【００２９】
本発明の他の実施形態によれば、刻み目９は、星形の手法で配置される。
【００３０】
さらに、刻み目９は、円錐型に外側に広がって構成される。
【００３１】
本発明の実施形態は、ホースクランプを締め付けるための工具に向いている。上記に記載されたように、工具は、正面に内部開口を有する台座と半径方向内側向かって延びる、台座上に配置された少なくとの３つの突起を含む。
【００３２】
本発明の実施形態によれば、内部の内直径はネジ頭の外直径に適合して構成され、および突起の数と形がネジ頭の刻み目９の数と形に対応して構成され、配置される。
【００３３】
他の実施形態によれば、台座半径方向内部に横たわる突起の外部へりは、お互いに平行に走る。
【００３４】
さらに、台座半径方向内部に横たわる突起の外部へりは、凸状に曲がる。
【００３５】
本発明の実施形態は、筐体と締め付けネジを有するホースクランプを調整するための方法に向いている。この方法は、締め付けネジの曲線的な頭上に工具を置くこと、締め付けネジは滑らかな中心表面を備え、ホースクランプを締めるまたは緩める効果のため、工具を回すことを含む。
【００３６】
他の実施形態によれば、ネジ頭は少なくとも１つの刻み目を含み、工具は少なくとも１つの突起を含む。少なくとも１つの突起が少なくとも１つの刻み目の中に適合する。少なくとも１つの刻み目は、少なくとも３つの刻み目９を含み、少なくとも１つの突起は、少なくとも３つの刻み目９に対応する数の突起を含む。突起の数はお互い平行に配置される。
【００３７】
本発明のさらなる他の実施形態によれば、工具の回転軸が、締め付けネジの回転軸にななめに向くとき、工具の回転は、締めるまたは緩める効果のため十分なトルクを提供する。
【００３８】
他の例示的実施形態と本発明の効果は、本開示と添付の図によって確かめられる。
【００３９】
本発明は、本発明の例示的実施形態の非制限例により、複数の図を参照することによって、以下の詳細な記述により記載される。図の中のいくつかを通して同じ参照番号は同じ部分を表す。
【図面の簡単な説明】
【００４０】
【図１】ホースクランプを図示する。
【図２】図１の拡大部分を図示する。
【図３】図２に示された部分を３次元表現で図示する。
【図４】工具を有するホースクランプを図示する。
【図５】工具を有するホースクランプの部分を図示する。
【発明を実施するための形態】
【００４１】
ここで、詳細は例示の方法で示され、本発明の実施形態の図示的議論の目的のためのみに、本発明の原理と概念的な面をすぐに理解でき、最も効果的と信じられることを提供するために表される。このことについて、本発明の基本的理解のために必要なもの以上に、本発明のいくつかの形状が実際にどのように実装され、形成されるかを当業者に明らかにさせる、図を伴った記載以上に、本発明の構造的詳細を開示することを意図していない。
【００４２】
図１は、締め付けバンド２を有するホースクランプ１を図示する。筐体３は、締め付けバンド２の第１の端に配置され、締め付けネジ４は筐体３に適合する。締め付けネジ４はネジ頭５とネジ胴部６を有する。締め付けバンド２の第２の端７は、第１の端の半径方向外側に導かれ、より詳細には、第１の端と筐体３の中に配置された締め付けネジ４のネジ胴部６の間に導かれる。この手法でネジ胴部６のネジは、締め付けバンド２の外側に実装または形成された対応するネジ山と噛み合う。締め付けネジ４を駆動することによって、第２の端７は筐体３に多かれ少なかれ押され、ホースクランプ１の直径は、ホースクランプ１を締め付けるまたは緩めるために変化される。
【００４３】
この型のホースクランプは、この程度まで知られている。
【００４４】
締め付けネジ４のネジ頭５は、凸型にアーチ状の表面に提供される。つまり、レンズ状に実装または形成される。ネジ頭５は円形のベース領域を有する。半径方向外側に横たわる刻み目９は、ネジ頭５の中に実装または形成される。そこで、表面８はネジ頭５の中心の範囲で滑らかな手法で実装または形成される。刻み目９は例えば、浮き彫りにされるまたは押し出される。
【００４５】
図２は図１によるホースクランプ１の部分を示す。同じ要素は同じ参照番号で示される。ネジ頭５の滑らかな中心は、締め付けネジ４の回転軸１０上に位置することが認識できる。このように刻み目９は、回転軸１０から半径方向に間隔を開けられる。
【００４６】
図３は、図２を３次元表現で示す。この例示的実施形態の中で、締め付けネジ４は計３つの刻み目９を有し、星形の手法で配置され、お互いに一定の距離を有している。したがって、刻み目９は、締め付けネジ４のネジ頭５の周囲に均等に分配される。刻み目９は、これらが円錐状に外側に広くなるように、実装または形成される。つまり、これらは比較的大きい開口幅と、比較的狭い底またはベースを有する。
【００４７】
図４は、締め付けネジ４を駆動（回転）するために使用する工具１１と接続したホースクランプ１を示す。工具１１は締め付けネジ４とある角度で示される。したがって、工具１１の回転軸１２は、締め付けネジ４の回転の軸１０とある角度に向いており、締め付けネジ４を駆動するための十分なトルクをまだ提供する。この位置合わせは、半径方向外側に横たわる刻み目９と接続するネジ頭のレンズ状の実装により可能になる。
【００４８】
工具１１は、工具ハンドル１４に接続された台座１３を有する。台座１３は円筒状に実装または形成され、正面で開き、ネジ頭５に適応することに役立つ円筒内部を有する。しかしながら、これはネジ頭５全体と適応する必要はない。つまり、ネジ頭５が台座１３に離れて挿入された場合、内部の中に配置された突起がネジ頭５上の刻み目９と噛み合うことができれば十分である。
【００４９】
図５は、締め付けネジ４の拡大図と共に工具１１を示す。工具１１の回転軸１２は、締め付けネジ４の回転軸１０と平行（または位置合わせの外）からずれることがある。このずれは、ネジ頭５の表面８上で台座１３を滑らすことによってネジ頭５上に台座１３の設置の間に補償される。言わば、ネジ頭５上の台座１３の自己中心化が発生する。締め付けネジ４を駆動するための、ホースクランプ１を締め付けるまたは緩めるために導かれる工具１１の可能な回転動作は、矢印１５の記号で表される。
【００５０】
半径方向外側に開き凸型にアーチ状のネジ頭５の表面と接続する、回転軸１０の半径方向外側に配置された刻み目９を有するネジ頭５を有する締め付けネジ４の実施形態により、締め付けネジ４またはこの型の締め付けネジ４を有するホースクランプ１が得られ、これは、簡単に不正に変更されない。このように、特別な工具１１と対応する簡単な取り扱いが、同時に確実にされる。さらに、示された例示的実施形態と比較した変形がこれによって考えられる。例えば、刻み目９のより大きい数、ネジ頭５の周囲上での刻み目９の非一様な分布、および刻み目９の逸脱した形状。工具１１の台座１３は対応する形状に実装または形成されなければならない。工具は複数の部品の形状で実装または形成することもできる。例えば、台座１３は、例えば電気的または空気圧で駆動される機械工具で、ハンドルと接続可能な着脱可能な要素（ビット）として実装または形成可能である。
【００５１】
上記の例は、単に例示の目的のために提示されたものであり、本発明の制限として構成されるものではないことに注意すべきである。本発明は例示的な実施形態を参照し記載されたが、ここで用いられた言葉は、制限の言葉ではなく、記載と例示の言葉と理解すべきである。添付の請求項の範囲内で、本発明の範囲と概念から、その態様を逸脱することなく、ここで述べられたようにおよび補正によって、変形は可能である。本発明は、特定の手段、材料および形態に関して、ここで記載されたが、本発明は、ここで開示された特別なものに制限されない。むしろ、本発明は、添付された請求項の範囲内で機能的に同等な構成、方法および用途に拡張される。
【符号の説明】
【００５２】
１  ホースクランプ
２  締め付けバンド
３  筐体
４  締め付けネジ
５  ネジ頭
６  ネジ胴部
７  第２の端
８  表面
９  刻み目
１０  回転軸
１１  工具
１２  回転軸
１３  台座
１４  工具ハンドル
１５  矢印
【図１】
2012052660.tif 000003
【図２】
2012052660.tif 000004
【図３】
2012052660.tif 000005
【図４】
2012052660.tif 000006
【図５】
2012052660.tif 000007
【外国語明細書】
2012052660.tif 000008
2012052660.tif 000009
2012052660.tif 000010
2012052660.tif 000011
2012052660.tif 000012
2012052660.tif 000013
2012052660.tif 000014
2012052660.tif 000015
2012052660.tif 000016
2012052660.tif 000017
2012052660.tif 000018
2012052660.tif 000019
2012052660.tif 000020
2012052660.tif 000021
2012052660.tif 000022
2012052660.tif 000023
2012052660.tif 000024
2012052660.tif 000025